(57)【要約】【概要】本発明は体感振動小型音響受信機に関し、詳細には、骨伝導構造を連結して、一般の小型音響受信機の機能はもちろん、体感振動及び骨伝導音響など多様な音感及び体感を具現することができる体感振動小型音響受信機に関する。【選択図】  図２
2010527213.tif 000002
【特許請求の範囲】
【請求項１】
外耳部に挿入または附着可能な形状で、音響再生器である本体から受信された音響信号によってダイヤフラムを振動させて、音響を出力する音響発生部と；上記音響発生部を内部に装着して保護するハウジングと；本体と上記音響発生部との間に位置して、上記音響発生部に入力される音響信号を調整する中間調整部と；が含まれる小型音響受信機において、線形の振動構造を有する振動発生部、振動発生部のハウジング及び上記振動発生部のハウジングに連結されて、外耳部に直接接触する振動伝達部をさらに備えており、上記中間調整部は、本体から引出された１つの信号チャンネルを２つの信号チャンネルに分けて、出力信号の大きさを調整することができ、上記２つの信号チャンネルの中、１つは上記音響発生部に連結され、もう１つは上記振動発生部に連結されて、上記中間調整部を利用して上記２つの信号チャンネルの中で何れか１つまたは両者の出力信号の大きさを調整することができることを特徴とする体感振動小型音響受信機。
【請求項２】
上記振動発生部は、振動錘として、単一体の中心磁石と上記中心磁石を離間して囲む外側磁石を含む２重構造の磁石と；上記中心磁石と外側磁石とを支持する保護部材と；一側はハウジングの内部に結合し、他側は上記保護部材及び中心磁石と中心結合する弾性体としての板スプリングと；上記中心磁石及び外側磁石との間に位置するリング状の振動コイルと；を含むことを特徴とする請求項１に記載の体感振動小型音響受信機。
【請求項３】
上記音響発生部及び振動発生部のハウジングは同一であり、上記両発生部は、上記同一のハウジングの中に離間または磁石の極性が異ならせて装着され、上記振動伝達部は上記ハウジングの一部であることを特徴とする請求項１に記載の体感振動小型音響受信機。
【請求項４】
上記振動伝達部は、音響発生部のハウジングに含まれ、上記音響発生部のハウジングと振動発生部のハウジングは、ブリッジによって連結されることを特徴とする請求項１に記載の体感振動小型音響受信機。
【請求項５】
上記振動伝達部は音響発生部のハウジングで、上記音響発生部のハウジングと振動発生部のハウジングは直接接触されることを特徴とする請求項１に記載の体感振動小型音響受信機。
【請求項６】
上記振動伝達部は音響発生部のハウジングに含まれ、上記音響発生部のハウジングと振動発生部のハウジングはブルートゥースヘッドセットで連結されることを特徴とする請求項１に記載の体感振動小型音響受信機。
【請求項７】
上記振動伝達部は骨伝導の音圧の５０％以上を保持することができる材質で形成されることを特徴とする請求項１に記載の体感振動小型音響受信機。
【請求項８】
上記振動伝達部は中心部に１つの中心磁石を位置させ、上記中心磁石の外郭には、上記中心磁石を支持する保護部材から延長して折曲された磁性体が位置することを特徴とする請求項１に記載の体感振動小型音響受信機。
【発明の詳細な説明】
【技術分野】
【０００１】
本発明は体感振動小型音響受信機に関し、より詳しくは、骨伝導構造を連結して、一般の小型音響受信機の機能はもちろん、体感振動及び骨伝導音響を具現することができる体感振動小型音響受信機に関する。
【背景技術】
【０００２】
小型音響受信機は、小型のスピーカーが装着されて、耳の中に着用または外耳に附着可能な大きさと形状に製作されて、本体であるＭＰ３などの音響再生器から伝達される音響信号を外耳に直接出力するイヤホンまたはヘッドホンなどを言い、小型で、使い勝手のよい携帯装備として利用価値が高い。
【０００３】
しかし、従来の小型音響受信機は、振動板（ダイヤフラム）の面積が小さくて出力が弱いため、低域帯域の音を再生することができなかった。
【０００４】
また長時間聞いたり、音量を高くすべき騷音環境では、聴覚器官に無理を与えたり、大きい損傷を与える虞がある。
【０００５】
これによって、音響を代替することができる振動が支援される高出力の振動イヤホンとヘッドホンが開発され、従来の振動イヤホンとヘッドホンは、単に音響発生部と振動発生部とを接木した形態で、小型音響受信機が空間上の制約により、振動の間の干渉を遮るとともに、振動を效果的に発生及び伝達することができる構造に対しては、諸研究を要する実情である。
【発明の概要】
【発明が解決しようとする課題】
【０００６】
本発明は、上述したように、音感が充分でなくて、その活用が制限されていた従来の小型音響受信機の課題を解決するために創出されたもので、広帯域の聴覚效果及び体感振動感を提供しながらも、経済的に実施可能な体感振動小型音響受信機を提供することを目的とする。
【課題を解決するための手段】
【０００７】
上記の技術課題を達するために、本発明は、外耳部に挿入または附着可能な形状で、音響再生器たる本体から受信された音響信号によってダイヤフラムを振動させて音響を出力する音響発生部と；上記音響発生部を内部に装着して保護するハウジングと；本体と上記音響発生部との間に位置して、上記音響発生部に入力される音響信号を調整する中間調整部と；が含まれる小型音響受信機において、線形の振動構造を有する振動発生部、振動発生部のハウジング及び上記振動発生部のハウジングに連結されて、外耳または周辺部に直接接触する振動伝達部をさらに備えており、上記中間調整部は、本体から引出された１つの信号チャンネルを２つの信号チャンネルに分けされて、出力信号の大きさを調整することができ、上記２つの信号チャンネルの中、１つは上記音響発生部に連結され、もう１つは上記振動発生部に連結されて、上記中間調整部を利用して、上記２つの信号チャンネルの中の何れか１つまたは両者の出力信号の大きさを調整することができることを特徴とする体感振動小型音響受信機を提供する。
【発明の効果】
【０００８】
本発明によれば、外耳部に挿入または附着可能な小型音響受信機を利用して、広帯域音感及びウーファを振動させることができて、従来の小型音響受信機の音感の限界を超えて、高級スピーカーの音感を経済的で、且つ、便利に楽しむことができる。
【０００９】
また、従来の音量調整レバーを利用したモードの転換が容易で、１つの小型音響受信機で音響＋体感振動モード、骨伝導モード及び単純な音響モードなど多様な音感及び体感を選択的に楽しむことができるという長所がある。
【図面の簡単な説明】
【００１０】
【図１】図１は本発明に係る小型音響受信機の一実施形態。
【図２】図２は本発明に係る小型音響受信機の他の実施形態。
【図３】図３は本発明に係る小型音響受信機の本体に連結された例示図。
【図４】図４は本発明に係る小型音響受信機の音響信号調整回路の例示図。
【発明を実施するための形態】
【００１１】
以下、図面を参照して本発明の技術思想を詳しく説明する。
【００１２】
本発明は、外耳または外耳の周辺部（以下「外耳部」と言う）に挿入または附着して使用する小型音響受信機の低出力でも増幅器の出力で感じられる体感振動效果を楽しめるようにする振動構造の導入方法あるいは構造を提供することを技術核心とし、このような振動は骨伝導效果で、小型音響受信機の低音帯域を補完し、体感振動效果を有するので、音感を画期的に向上することができる。
【００１３】
より具体的には、従来の小型音響受信機に振動発生部を導入し、骨伝導構造の振動発生部を採択して精細な振動を処理可能にし、振動伝達構造は、外耳部に接する硬い材質の振動伝達部が振動発生部のハウジングと連結することで完成し、本体との間に中間調整部を備えて、中間調整部から引出される２つのチャンネルで音響発生部と振動発生部の入力チャンネルを分離し、中間調整部では上記２つのチャンネルに出力される出力信号を調整するが、これは２つのチャンネルの中で何れか１つまたは両者に対して実行することができる。
【００１４】
これによって、従来の機器との互換性を保持しながらも、中間調整部を通じて音響と振動の程度を微細に調整して多様な音感及び体感を選択して楽しむことができる。
【００１５】
図１は本発明に係る体感振動小型音響受信機の一実施形態を示すもので、１つのハウジングに音響発生部及び振動発生部が装着された場合で、Ａ方向に挿入または附着することができる。
【００１６】
外耳と接触する部位に通孔が形成されたカバー２を含んで、外耳部に挿入または附着可能な形状のハウジング１は、その内部に音響発生部３を含んでおり、上記音響発生部３は従来の小型音響受信機で採択する小型スピーカー構造であればすべて利用可能である。
【００１７】
上記音響発生部３は、上記カバー２の内側に直面して、音響出力方向（ダイヤフラム側）がカバー２を通じるように装着され、本体から入力される音響信号によって振動コイルがダイヤフラムを振動させて音響を出力する。
【００１８】
上記音響発生部３に離間して装着された振動発生部４は、骨伝導構造の基本となる線形の振動構造であればすべて適用することができ、これは精細で強い振動力の提供が本発明の目的を達するカギとなるからである。
【００１９】
本実施形態の場合は、骨伝導構造で、振動錘として磁石を利用するが、単一体の円筒状の中心磁石４１と上記中心磁石４１を離間して囲むリング状の外側磁石４２とを含む２重構造の磁石構造を採択する。
【００２０】
上記中心磁石４１及び外側磁石４２との間には、リング状の振動コイル４３を立設して、磁石の振動を誘発し、上記中心磁石４１及び外側磁石４２は、下部で支持する保護部材４４によって固定される。
【００２１】
また、振動力を伝達する核心となる板スプリング４５が、一側はハウジングの内部に結合し、他側は上記保護部材４４及び中心磁石４１と中心結合することによって、振動の幅を最大化した構造である。
【００２２】
上記振動発生部４の構造は、振動反応性が優れており、小さな音響信号にも十分な振動力を発揮するので、骨伝導及び体感振動の效果を提供することができ、且つ、電力の消耗が少なくて、機器の小型化及び費用の節減の效果が大きい。
【００２３】
その他にも、上記振動伝達部は、多様な実施が可能であり、上記２重の磁石構造を変形して、１つの中心磁石のみを採択し、外郭には上記外側磁石の代わりに上記中心磁石を支持する保護部材から延長して折曲された磁性体を位置させることができる。
【００２４】
このような振動発生部の振動が外耳部に伝達されるには、外耳部に附着される振動伝達部が振動発生部のハウジング１ｂに連結されなければならない。
【００２５】
本実施形態の場合、音響発生部のハウジング及び振動発生部のハウジングが同様であり、振動伝達部はハウジングの中で外耳部に直接接触する音響発生部側のハウジング１ａとなり、振動発生部側のハウジング１ｂが上記音響発生部側のハウジング１ａに連結されて、振動が外耳部に伝達される構造である。
【００２６】
本発明のように、音響発生部及び振動発生部を同時に駆動する場合、音質を向上させ、所望の骨伝導体感振動の效果を提供するためには、両発生部の間の相互振動力の干渉を防止する構造を提供しなければならない。
【００２７】
図１の実施形態によれば、両発生部の間に離間空間Ｓを介在させて、直接接触を防止することによって、相互干渉を排除していることが分かる。
【００２８】
実験の結果、上記離間距離は、振動発生部の磁力が５０％以上減少する位置であれば十分である。
【００２９】
しかし、同一の空間に両発生部を装着する場合、必ず離間空間を介在させる必要はないが、両発生部が対向する磁力が互いに異なる極性を有するように配置しても、相互の干渉を排除することができる。
【００３０】
従って、上記の実施形態は、両発生部が分離したハウジングの内に別途に装着される場合にも同様に適用される。
【００３１】
振動伝達部５は、振動発生部のハウジングに連結され、外耳部に附着可能な形態で、多様に実施することができ、音響発生部３のハウジングが振動発生部のハウジングに連結されていれば、音響発生部のハウジングが振動伝達部となり、音響発生部のハウジングと振動発生部のハウジングが分離していれば、振動伝達部は振動発生部のハウジングに連結されて、外耳に附着され、上記振動発生部のハウジングを支持する構造に別途形成しなければならない。
【００３２】
従って、振動伝達部の素材は、振動を吸収しないで、そのまま伝達しながら、形態の保持力があればよく、ハウジングに用いられる合成樹脂や金属材質などのように、振動発生部で発生する骨伝導の音圧の５０％以上を保持可能な材質でなければならない。
【００３３】
音響発生部３と振動発生部４の装着構造及び振動伝達部５の構造は、図１の実施形態の以外にも、図２に示しているように、多様に実施することができ、少なくとも音響発生部のハウジングは、耳の中に挿入または外耳部に附着される構造でなければならないが、振動発生部は振動発生部のハウジングに連結されて、外耳部に附着される振動伝達部を通じて振動を伝達することができる構造に連結されていれば良い。
【００３４】
（イ）の場合は、図１の実施形態は、音響発生部３と振動発生部４のハウジングが接しており、音響発生部のハウジングを振動伝達部５にして、振動発生部４の振動がハウジングから音響発生部３のハウジングに伝達されて、聴覚器官に伝達される構造である。
【００３５】
（ロ）の場合は、音響発生部のハウジングと振動発生部のハウジングが分離して離間されており、両者の間にはブリッジ７で連結されており、（イ）の場合と同様に、音響発生部のハウジングが振動伝達部５の役割を果たして、振動発生部４の振動がハウジングからブリッジを通じて外耳部に接触する音響発生部３のハウジングに伝達されることによって聴覚器官に伝達される構造である。
【００３６】
（ハ）の場合は、本体がブルートゥースヘッドセットで、音響発生部のハウジングと振動発生部のハウジングが結合されて、上記ブルートゥースヘッドセットに装着されている構造であり、この場合は、（イ）の場合と同様に、振動発生部４の振動が振動発生部のハウジングから外耳部に接触する音響発生部３のハウジングに伝達されることによって、聴覚器官に伝達される構造である。従って、上記音響発生部のハウジングが振動伝達部５としての機能を有する。
【００３７】
（ニ）は、本体がブルートゥースヘッドセットの場合の実施形態で、音響発生部と振動発生部のハウジングが分離して装着され、振動発生部４の振動が、振動発生部のハウジングからブルートゥースヘッドセットをブリッジ７として、外耳部に接触する音響発生部３のハウジングに伝達されることによって、聴覚器官に伝達される構造である。従って、この場合にも上記音響発生部のハウジングが振動伝達部５としての機能を有する。
【００３８】
このように、振動伝達部は、音響発生部及び振動発生部の間の結合関係によって、多様に実施することができ、上記に説明した本発明の技術思想の範疇に属するか否かは、本発明の特許請求の範囲に属するか否かを判断する基準になる。
【００３９】
本発明は、図３に示したように、本体Ｂとの間に中間調整部６を備えており、中間調整部６は、出力される信号の大きさを調整することができる従来の音量調整レバーとして信号抵抗器を含む。
【００４０】
本発明の音響発生部及び振動発生部は分離されているので、音響信号の入力端子も個別に形成されており、図４に示しているように、本体から入力される信号が中間調整部６によって２つのチャンネルで分けられて、音響発生部及び振動発生部に供給される。
【００４１】
図４は、中間調整部が音響発生部側の信号の大きさを調整するように構成された一実施形態で、信号の大きさを調整する必要がある場合、音響発生部及び振動発生部の中の何れか１つの信号または両者の信号を調整することができる。
【００４２】
図４のように信号を制御する場合、中間調整部６を音量が増加する方向に適切に選択すると、音響発生部３に入力される音響信号の電流量を制御して音響及び体感振動を共に楽しむことができる。
【００４３】
しかし、中間調整部６を反対に調整して、音量を完全に消去すると、音響発生部３に伝達される音響信号が遮られて、振動発生部４のみ作動して骨伝導機能の小型音響受信機として活用することができる。
【００４４】
また、本体の音量を下げた後、上記中間調整部６を最大音量も調整すると、振動発生部の振動は音響発生部の周波数によって相殺されて、使用者が体感することができないので、一般の小型音響受信機のように音響のみが聞こえる音響モードになる。
【００４５】
このように、従来の音量調整レバーとしての中間調整部６を利用して、入力信号チャンネルが分離された音響発生部及び振動発生部をアナログで制御することで、代表的には、１）音響＋体感振動モード、２）骨伝導モード、３）音響モードの間の転換が可能になり、その他にも音響と振動の程度を微細に調整して多様なスペクトルの音感を楽しむことができる。
【符号の説明】
【００４６】
１：ハウジング        
３：音響発生部
４：振動発生部        
５：振動伝達部
６：中間調整部
４１：中心磁石        
４２：外側磁石
４３：振動コイル      
【図１】
2010527213.tif 000003
【図２】
2010527213.tif 000004
【図３】
2010527213.tif 000005
【図４】
2010527213.tif 000006
【国際調査報告】
2010527213.tif 000007
2010527213.tif 000008